(57)【要約】【課題】ＬＥＤ９２の発光時における見栄えの向上を図ると共にＬＥＤ９２の放熱による不具合の発生を防止できるパチンコ遊技機の可動入賞装置を提供する。【解決手段】遊技盤面上に取り付けられる取り付け基板９１と、この取り付け基板９１に形成された下始動口１２に対して遊技球Ｐを誘導する電動式チューリップ１７と、この電動式チューリップ１７の前面に設けられる化粧板８０と、回路基板９１上に配置され化粧板８０の背面に光を照射するＬＥＤ９２とを備えたパチンコ遊技機の可動入賞装置１１において、化粧板８０は半透明部材からなり、且つ、半透明部材８１の前面に銀鏡膜８２を成膜するようにした。【選択図】図４
2008043452.tif 000002
【特許請求の範囲】
【請求項１】
遊技盤面上に取り付けられる取り付け基板と、該取り付け基板に形成された始動口に対して遊技球を誘導する可動片と、該可動片の前面に設けられる化粧板と、前記取り付け基板上に配置され前記化粧板の背面に光を照射する光源と、を備えたパチンコ遊技機の可動入賞装置において、
前記化粧板は半透明部材からなり、且つ、該半透明部材の前面に銀鏡膜が成膜されていることを特徴とするパチンコ遊技機の可動入賞装置。
【請求項２】
請求項１に記載のパチンコ遊技機の可動入賞装置において、
前記光源と前記化粧板との間を密閉する密閉部材に放熱用の隙間を形成したことを特徴とするパチンコ遊技機の可動入賞装置。
【請求項３】
請求項１又は２に記載のパチンコ遊技機の可動入賞装置において、前記可動片の上方に前記始動口とは異なる上始動口が設けられていることを特徴とするパチンコ遊技機の可動入賞装置。
【請求項４】
請求項１乃至３の何れか１項に記載のパチンコ遊技機の可動入賞装置を備えたことを特徴とするパチンコ遊技機。
【発明の詳細な説明】
【技術分野】
【０００１】
本発明は、パチンコ遊技機の可動入賞装置に関わり、特に可動入賞装置の電飾効果を高めるのに好適なものである。
【背景技術】
【０００２】
パチンコ遊技機等においては、従来から単なる照明効果のみならず、遊技盤上における遊技状態の変化等の状況変化を視覚的に表現、報知したり、遊技進行上での電飾効果を図る等の目的から、盤面上、その他任意の部位にＬＥＤランプやフィラメント式ランプ等の発光装置が取り付けられている。例えば、盤面上に取り付けられる遊技球の可動入賞装置にも電飾効果を高めるための電飾装置が取り付けられているものがある。
【０００３】
なお、先行文献としては、特許文献１に可動翼片の開成もしくは閉成動作に対応してＬＥＤからの光束を受ける複数の光透過面を交互に切り換えて遊技者向け可動翼片から投射する発光色を変換する光変換手段を設けるようにしたパチンコ遊技機の可動入賞装置が開示されている。
【特許文献１】特開２００５−２７０２７４号公報
【発明の開示】
【発明が解決しようとする課題】
【０００４】
しかしながら、特許文献１のように可動入賞装置の電飾効果を高めるように構成した場合は、遊技者側から電飾用の光源であるＬＥＤが見えることになるが、デザイン上、ＬＥＤが見えてしまうと好ましくない場合がある。例えば、可動入賞装置を桜の花びらを模した形状にした場合、花びらの中心にＬＥＤを配置することができればＬＥＤが見えても問題ないが、ＬＥＤを配置するスペースなどの関係から花びらの中心にＬＥＤを配置することができない場合に光源であるＬＥＤの形状が見えてしまうとデザイン上好ましくない。つまり、可動入賞装置の電飾効果を高めるために、化粧板に施されたデザイン形状を発光させる場合は、ＬＥＤが円形の発光部として見えてしまうとデザインを損なってしまうという問題点があった。
また従来の可動入賞装置では、ＬＥＤが可動翼片内の密閉された空間に収納されることになるため、ＬＥＤの発熱により可動翼片が変形したり或いは劣化するという問題点があった。
【０００５】
本発明は上記したような点を鑑みてなされたものであり、可動入賞装置の化粧板に施したデザインを損なうことなく化粧板を光らせることができ、しかも光源の熱による不具合を防止できるパチンコ遊技機と、パチンコ遊技機の可動入賞装置を提供することを目的とする。
【課題を解決するための手段】
【０００６】
上記目的を達成するため、請求項１に記載の発明は、遊技盤面上に取り付けられる取り付け基板と、該取り付け基板に形成された始動口に対して遊技球を誘導する可動片と、該可動片の前面に設けられる化粧板と、前記取り付け基板上に配置され前記化粧板の背面に光を照射する光源と、を備えたパチンコ遊技機の可動入賞装置において、前記化粧板は半透明部材からなり、且つ、該半透明部材の前面に銀鏡膜が成膜されていることを特徴とする。
また請求項２に記載の発明は、請求項１に記載のパチンコ遊技機の可動入賞装置において、前記光源と前記化粧板との間を密閉する密閉部材に放熱用の隙間が形成されていることを特徴とする。
【０００７】
また請求項３に記載の発明は、請求項１又は２に記載のパチンコ遊技機の可動入賞装置において、前記可動片の上方に前記始動口とは異なる上始動口が設けられていることを特徴とする。
また請求項４に記載の発明は、請求項１乃至３の何れか１項に記載のパチンコ遊技機の可動入賞装置を備えたパチンコ遊技機を特徴とする。
【発明の効果】
【０００８】
本発明のパチンコ遊技機の可動入賞装置によれば、可動片の前面に設けられる化粧板を半透明部材とした上で、その前面に銀鏡膜を成膜するようにした。このようにして化粧板を構成した場合は、化粧板の背面に配置した光源を点灯すると光源の光が化粧板を透過して化粧板の前面側の銀鏡膜を光らせることができる。
【０００９】
また本発明では化粧板を半透明部材により構成したことで、化粧板を前面側から見たときに光源の位置や形状を見えなくすることができるので、化粧板に施したデザインを損なうことなく化粧板を光らせることができる。
また本発明では、光源と化粧板との間を密閉する密閉部材に放熱用の隙間を形成したことで光源からの熱による装置の変形や劣化を防止することが可能になる。
【発明を実施するための最良の形態】
【００１０】
以下、本発明の実施形態について説明する。
図１は、本発明の実施形態に係るパチンコ遊技機の全体正面図である。
図１に示すパチンコ遊技機１は、矩形形状の枠２を有し、この枠２の窓孔に対して裏側から遊技盤３が着脱可能に取り付けられている。
遊技盤３の前面側には、図示しないガラス枠が開閉可能に取り付けられている。また遊技盤３の下部には遊技球を貯留する受け皿部４と、受け皿部４の遊技球を発射する発射レバー５等が設けられている。受け皿部４と発射レバー５との間の前面下部板６には遊技機用ボタンスイッチや、遊技球の購入ボタン、購入取り消しボタン、受け皿部４内の遊技球を下方から外部に抜くための球抜きボタンが設けられている。
【００１１】
図２は、遊技盤３の一例を示した正面図であり、この図２に示す遊技盤３の略中央には、図柄表示装置９が配置されている。
図柄表示装置９は、例えば、液晶表示装置等の液晶表示パネルによって構成され、通常動作状態の時は、図示しない特別図柄画像が表示される。また特別遊技状態の時は特別遊技状態であることを示す演出画像等が表示される。
図柄表示装置９の下方には、図柄表示装置９の特別図柄を可変表示させるための可動入賞装置１１が設けられている。また、図柄表示装置９の左側には、普通図柄表示装置１０に表示される普通図柄を作動させるためのゲート１４が設けられている。さらに可動入賞装置１１の下方には、特別遊技状態の一つである大当たり状態のときに開成状態になる開閉扉を有する大入賞口１５が設けられている。
【００１２】
可動入賞装置１１は、図柄表示装置９を可変表示させるための上始動口１３と左右一対の開閉爪（可動片）を有する電動式チューリップ１７とを備えて構成される。なお、可動入賞装置１１の詳細な構造については後述する。
また遊技盤３には風車１６や図示しない普通入賞口１８、更には、その最下部にアウト口１９等が設けられている。
【００１３】
普通図柄表示装置１０に表示される普通図柄は、１個または複数個の図柄を変動表示可能であり、普通図柄始動口としてのゲート１４が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１４を遊技球が通過したことを条件に乱数制御により普通図柄が所定態様となった場合に、可動入賞装置１１に設けられた電動式チューリップ１７から成る可動片を所定時間、開成動作するように構成されている。
【００１４】
また図柄表示装置９に表示される特別図柄は、停止図柄が予め定められた図柄の組合せ、例えば同一図柄の組合せとなった場合に大当たり状態となるように構成されている。また特別図柄は可動入賞装置１１の上始動口１３又はこの図には示していないが電動式チューリップ１７の開成動作により遊技球が誘導される下始動口１２において遊技球を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当たり状態が発生する。なお、特別図柄としては、数字図柄、アルファベット図柄、キャラクター図柄等が使用可能である。
【００１５】
図３は、本実施形態の可動入賞装置の動作制御を行う遊技制御基板を含むパチンコ遊技機の遊技制御装置の構成を示したブロック図である。
この図３に示す遊技制御装置においては、遊技の進行を制御する遊技制御手段として遊技制御基板２１が設けられていると共に、遊技の演出を行う遊技演出手段、及び遊技の演出を制御する遊技演出制御手段として、図柄制御基板３１、音声制御基板４１、及びランプ制御基板５１が設けられている。
遊技制御基板２１は、ＣＰＵ２２、ＲＯＭ２３、ＲＡＭ２４、及び入出力インターフェース（以下、「Ｉ／Ｏ」と表記する）２５、２６を有し、当該遊技機１の主たる制御を行う。
【００１６】
遊技制御基板２１のＩ／Ｏ２５には、本実施形態の可動入賞装置１１の下始動口１２に設けられた下始動スイッチ（ＳＷ）１２ａや上始動口１３に設けられた上始動スイッチ（ＳＷ）１３ａ、遊技盤３上の始動ゲート１４ａが接続されている。また遊技盤３の普通入賞口１８に設けられた普通入賞口スイッチ（ＳＷ）１８ａ、１８ｂ、大入賞口１５に設けられた大入賞口スイッチ（ＳＷ）１５ａ、大入賞口１５の開閉扉を開閉動作させるための大入賞口ソレノイド１５ｂ、本実施形態の可動入賞装置１１に備えられた上始動口１３の電動式チューリップ１７を開閉動作させるための始動口ソレノイド１７ａなどが接続されている。
一方、遊技制御基板２１のＩ／Ｏ２６には図柄制御基板３１のＩ／Ｏ３５と賞球制御基板６１のＩ／Ｏ６５が接続される。
【００１７】
図柄制御基板３１は、図柄表示装置９等の表示制御を行うためのもので、ＣＰＵ３２、ＲＯＭ３３、ＲＡＭ３４、Ｉ／Ｏ３５、３６、３７を有し、Ｉ／Ｏ３６には液晶表示装置により構成された図柄表示装置９と、図示していないが７セグメント等により構成された普通図柄表示装置１０が接続されている。またＩ／Ｏ３７は音声制御基板４１のＩ／Ｏ４５及びランプ制御基板５１のＩ／Ｏ５５と接続される。
音声制御基板４１は、ＣＰＵ４２、ＲＯＭ４３、ＲＡＭ４４、Ｉ／Ｏ４５、４６を有し、Ｉ／Ｏ４６に接続されているスピーカ８の音声制御や、発射レバー５内に内蔵した振動手段４７の制御等を行う。
【００１８】
ランプ制御基板５１は、ＣＰＵ５２、ＲＯＭ５３、ＲＡＭ５４、Ｉ／Ｏ５５、５６を有し、Ｉ／Ｏ５６に接続されている各種ランプ、例えば枠２を飾る装飾ランプ（ＬＥＤ）５７やガラス枠ランプ５８、サイドランプ５９等の制御を行う。
賞球制御基板６１は、ＣＰＵ６２、ＲＯＭ６３、ＲＡＭ６４、Ｉ／Ｏ６５、６６を有し、遊技制御基板２１からの制御信号に基づいてＩ／Ｏ６６に接続されている払出駆動モータ６７の駆動制御を行う。またＩ／Ｏ６６には定位置検出スイッチ（ＳＷ）６８ａや、払出球検出スイッチ（ＳＷ）６８ｂ、球有り検出スイッチ（ＳＷ）６８ｃ、満タン検出スイッチ（ＳＷ）６８ｄ等が接続されている。
【００１９】
以下、本実施形態の可動入賞装置１１の構成及び動作について詳細に説明する。
図４は、本実施形態の可動入賞装置１１の構成を示した図であり、（ａ）は平面図、（ｂ）は正面図、（ｃ）は右側面図である。
この図４に示す可動入賞装置１１は、図２に示した遊技盤面２に取り付けられる取り付け基板９０と、この取り付け基板９０に形成された下始動口１２に遊技球Ｐを誘導する電動式チューリップ１７と、この電動式チューリップ１７の前面に設けられる化粧板８０と、取り付け基板９０上に配置され化粧板８０の背面に光を照射する光源であるＬＥＤ９２、９２が実装された回路基板９１とを備える。
【００２０】
電動式チューリップ１７は一対の可動片１７ｂ、１７ｂにより構成され、この可動片１７ｂ、１７ｂの開成時に、取り付け基板９０に設けた下始動口１２に遊技球Ｐを誘導する経路が形成される。電動式チューリップ１７の上方には上始動口１３が設けられている。また化粧板８０は、プラスチックなどの化粧基材からなり、その前面側には各種塗装が施されている。また取り付け基板９０の背面側には電動式チューリップ１７を開閉動作するためのソレノイド１７等が設けられている。
なお、本実施形態では可動入賞装置１１として一対の可動片１７ｂ、１７ｂを有する電動式チューリップ１７を例に挙げて説明したが、これはあくまでも一例であり、可動片１７ｂは必ずしも一対である必要はなく片側だけでも良い。
【００２１】
ここで、本実施形態の可動入賞装置１１における遊技球の流れを簡単に説明しておく。
図５（ａ）（ｂ）は本実施形態の可動入賞装置１１の上始動口１３に遊技球が入賞したときの経路を説明するための正面図及び側面図であり、この図５（ａ）（ｂ）に示すように上始動口１３に入賞した遊技球Ｐは、上始動口１３内を通り、上始動口スイッチ１３ａを通過して遊技盤の裏面に排出される。
また図６（ａ）（ｂ）は本実施形態の可動入賞装置１１の下始動口に遊技球が入賞したときの経路を説明するための正面図及びＡ−Ａ断面図であり、図６（ａ）（ｂ）に示すように電動式チューリップ１７を介して下始動口１２に入賞した遊技球Ｐは、図６（ｂ）に示す下始動口１２内を通り下始動口スイッチ１２ａを通過して遊技盤の裏面に排出される。
【００２２】
そして、このように構成される本実施形態の可動入賞装置１１においては、上記した化粧板８０のうち、少なくとも花びら状に形成した部分については、化粧基材として半透明部材８１を用いるようにしている。そして、その半透明部材８１の前面側に銀鏡膜８２を成膜するようにした。即ち、本実施形態では、化粧板８０のうち、ＬＥＤ９２の光が背面から照射される部分については、化粧基材を半透明部材８１とし、さらにその前面側に銀鏡膜８２を成膜するようにした。なお、銀鏡膜８２の塗装方法は、特開平１１−３３５８５８号公報や、特開２００４−１９００６１号公報に開示されているので、ここでは説明は省略する。
【００２３】
このように本実施形態の可動入賞装置１１では、ＬＥＤ９２の光が背面から照射される花びら部分の化粧板８０については、半透明部材８１により構成したうえで、その前面を銀鏡塗装により銀鏡膜８２を成膜するようにした。
このように構成した場合、化粧板８０の背面に配置したＬＥＤ９２を点灯すると、ＬＥＤ９２の光が化粧板８０を透過して、化粧板８０の前面側に成膜した銀鏡膜８２を光らせることができる。これにより、パチンコ遊技機の電飾効果を高めることが可能になる。
【００２４】
また、本実施形態では、化粧板８０の花びら部分の基材については半透明部材８１により構成したことで、化粧板８０を前面側から見たときにＬＥＤ９２の位置や形状をぼやかして見えなくすることができるので、ＬＥＤ９２を配置するスペースなどの関係から化粧板８０の花びらの中心にＬＥＤ９２を配置できないような場合において、化粧板８０に施したデザインを損なうことなく化粧板８０を光らせることが可能になる。
また本実施形態の可動入賞装置１１においては、回路基板９１のＬＥＤ９２と、化粧板８０との間を密閉する密閉部材９３に放熱用の隙間Ｓを形成するようにしたことで、ＬＥＤ９２からの放熱による装置の変形や劣化を防止することが可能になるという利点もある。
またＬＥＤ９２を収納する密閉部材９３の壁部に金属メッキ等を施して鏡面状に構成すれば、ＬＥＤ９２による化粧板８０の照明効率をさらに高めることが可能になる。
【図面の簡単な説明】
【００２５】
【図１】本発明の実施形態に係るパチンコ遊技機の全体正面図である。
【図２】遊技盤の一例を示した正面図である。
【図３】本実施形態の可動入賞装置の動作制御を行う遊技制御基板を含むパチンコ遊技機の遊技制御装置の構成を示したブロック図である。
【図４】本実施形態の可動入賞装置の構成を示した図である。
【図５】本実施形態の可動入賞装置の上始動口に遊技球が入賞したときの入賞経路の説明図である。
【図６】本実施形態の可動入賞装置の下始動口に遊技球が入賞したときの入賞経路の説明図である。
【符号の説明】
【００２６】
１…パチンコ遊技機、２…枠体、３…遊技盤、４…皿部、５…発射レバー、６…前面下部板、８…スピーカ、１０…普通図柄表示装置、１１…可動入賞装置、１２…下始動口、１２ａ…下始動口スイッチ、１３…上始動口、１３ａ…上始動口スイッチ、１４…ゲート、１４ａ…始動ゲート、１５…大入賞口、１５ｂ…大入賞口ソレノイド、１６…風車、１７…電動式チューリップ、１７ａ…始動口ソレノイド、１８…普通入賞口、１９…アウト口、２１…遊技制御基板、４１…音声制御基板、４７…振動手段、５１…ランプ制御基板、５８…ガラス枠ランプ、５９…サイドランプ、６１…賞球制御基板、２２、３２、４２、５２、６２…ＣＰＵ、２３、３３、４３、５３、６３…ＲＯＭ、２４、３４、４４、５４、６４…ＲＡＭ、２５、２６、３５、３６、３７、４５、４６、５５、５６、６５、６６…Ｉ／Ｏ、６７…払出駆動モータ、８０…化粧板、８１…半透明部材、８２…銀鏡膜、９０…取り付け基板、９１…回路基板、９２…ＬＥＤ、９３…密閉部材
【図１】
2008043452.tif 000003
【図２】
2008043452.tif 000004
【図３】
2008043452.tif 000005
【図４】
2008043452.tif 000006
【図５】
2008043452.tif 000007
【図６】
2008043452.tif 000008